(57)【特許請求の範囲】
【請求項１】
任意断面形状の主体部に対して円形断面の支持杆を斜め方向に一体形成し、該支持杆にスリーブ状の把持柄を装着することによって、主体部と把持柄を回転自在に形成するハッカーにおいて、
円形断面の支持杆に装着する把持柄を円筒状とし、該円筒状の把持柄の一部を絞り加工によって細径部分を形成し、該細径部分を前記支持杆に嵌合させることによって回転自在の把持柄を形成することを特徴とするハッカー。
【請求項２】
円筒状の把持柄に形成する細径部分が、把持柄の両端二箇所又は三箇所以上の複数箇所である請求項１記載のハッカー。
【請求項３】
任意断面形状の主体部に対して円形断面の支持杆を斜め方向に一体形成し、該支持杆にスリーブ状の把持柄を装着することによって、主体部と把持柄を回転自在に形成するハッカーにおいて、
円形断面の支持杆に装着する把持柄を円筒状とし、該円筒状の把持柄の一部を絞り加工によって細径部分を形成し、該細径部分を前記支持杆に嵌合させることによって回転自在の把持柄を形成し、
該把持柄は、円筒状部材の内部に前記支持杆とほぼ等しい太さの心材を挿入した状態で外周からローラを押し当て、円筒状部材もしくはローラのいずれかを円筒状部材の中心を回転中心として回転させて円筒状部材の一部を細径部分に絞り加工することを特徴とするハッカーの製造方法。
【発明の詳細な説明】
【０００１】
【発明の属する技術分野】
足場工事や鉄筋工事、例えば鉄筋の配筋工事においては、所定間隔に配置した鉄筋の交差位置で縦横の鉄筋を結束線で結束する。この場合に、鉄筋を結束するためにハッカーと称される工具が使用される。本発明は、上記ハッカーの構造及びその製造法に関する発明である。
【０００２】
【従来の技術】
鉄筋工事における結束作業に用いるハッカーは、先端にフックを形成した任意断面形状の主体部に対して円形断面の支持杆を斜め方向に一体的に形成し、この支持杆にスリーブ状の把持柄を装着することによって回転自在に形成している。従来のハッカーは、図５に示すように、主体部Ａと一体に形成されている支持杆Ｂ対して把持柄Ｃが円滑に回転するべく、把持柄Ｃの両端にメタルＤ，Ｄやボールもしくはローラベアリングといった軸受けを装着していた。
【０００３】
【発明が解決しようとする課題】
従来のように、把持柄が円滑に回転するべく、把持柄の両端に軸受けを装着する構造では部品コストがかかるとともに、軸受けを装着するための加工が必要であり、加工コストがかかる欠点があった。
本発明は、上記従来技術の欠点に鑑みより安価で、しかも把持柄が滑らかに回転するハッカーの構造及びその製造方法を工夫したものである。
【０００４】
【課題を解決するための手段】
本発明が対象とするハッカーは、任意断面形状の主体部１に対して円形断面の支持杆1aを斜め方向に一体形成し、支持杆1aにスリーブ状の把持柄２を装着することによって、主体部１と把持柄２を回転自在に形成する。
このとき、円形断面の支持杆1aに装着する把持柄２を円筒状とし、円筒状の把持柄２の一部を絞り加工によって細径部分４，４を形成し、この細径部分を前記支持杆にガタツキのない状態で回転可能に嵌合させることによって回転自在の把持柄２を形成する。円筒状の把持柄２に形成する細径部分４，４は、把持柄の両端二箇所であると安定よく回転する。また、把持柄２の一部に軸受けを装着し、他の一部に上記細径部分を形成することもできる。
【０００５】
スリーブ状の把持柄２に絞り加工によって細径部分４，４を形成するには、円筒状部材の内部に前記支持杆1aとほぼ等しい太さの心材６を挿入した状態で外周からローラ７を押し当て、円筒状部材2’もしくはローラのいずれかを円筒状部材2’の中心を回転中心として回転させ、円筒状部材の一部を細径部分に絞り加工する。
これにより、心材６の外表面に円筒状部材2’の内面が押し付けられ、心材６の直径と等しい内径の細径部分４，４が形成し、把持柄２を完成させることができる。心材６を抜き取った円筒状部材2’の細径部分４，４の内面は、加圧状態で塑性変形したものであるため、適度に加工硬化されるとともに滑らかに形成される。
【０００６】
【発明の実施の形態】
以下、本発明に係るハッカー及びハッカーの製造法の実施形態を、添付の図面に基づいて説明する。
図１は、把持柄を縦断した本発明に係るハッカー全体の側面図、図２は把持柄のみの縦断面図、図３は把持柄の加工工程を示す略図、図４は把持柄の加工のためのローラーの変形例を示す略図、図５は従来のハッカーにおける把持柄部分の縦断面図を示している。
【０００７】
図１に示すハッカーは、工具として取扱い易い任意断面形状、通常角形断面の主体部１の基端部に、主体部１よりも細い直径の円形断面の支持杆1aを一体に形成し、支持杆1aにスリーブ状の把持柄２を回転自在に装着している。主体部１と支持杆1aは一定の角度で形成され、支持杆1aに把持柄２を回転自在に装着していることから、全体としてへ字状に形成されることになる。把持柄２に対して斜め前方に突出する主体部１の先端には、外側方に向けてフック３が形成してある。このように、主体部１と把持柄２がヘ字状に形成されているハッカーは、先端のフック３に結束線を引っ掛け、把持柄２を持って主体部を回すことによって結束線を捩り、結束作業を行う。
【０００８】
支持杆1aに対して回転自在に装着する把持柄２は、スリーブ状であって両端部分に絞り加工によって細径部分４，４を形成し、この細径部分４，４が支持杆1aに対して回転自在に嵌合している。すなわち、細径部分が把持柄２に対してガタツキが無い状態で遊嵌合し、細径部分が軸受けとして機能している。支持杆1aの下端には、把持柄２が抜け落ちるのを防止するために、抜け止め５を固定している。したがって、抜け止め５によって把持柄２が脱落するようなことがなく、支持杆1aに対して回転自在に装着することができる。
【０００９】
前記、スリーブ状の把持柄２は、図２に示すように円筒状部材1aの両端部に、絞り加工によって細径部分４，４を形成したものであって、細径部分４の内径ｄは支持杆1aの外径に等しく遊び嵌め状態で嵌合している。これにより、細径部分が軸受けとして機能し、支持杆1aに装着した把持柄２が自由に回転するものである。抜け止め５は、例えば支持杆1aに把持柄２を装着した後、支持杆1aの先端に太径の部材を装着し溶着その他の手段で一体化することで、把持柄２の脱落を確実に防止することができる。
【００１０】
スリーブ状の把持柄２の両端に、絞り加工によって細径部分４，４を形成するには、図３の（a）に示すように把持柄を構成するやや太い径の円筒状部材2’に心材６を挿入し、回転する円筒状部材2’もしくは円筒状部材を回転中心として回転するローラ７，７を、矢印で示すように円筒状部材の両端部に押圧する。図３（a）においては、複数のローラ７，７を円筒状部材2’の外方から中心方向に向けて移動させるようにしている。
これにより、図３の（b）に示すように、円筒状部材の両端部分が心材６に押し付けられた状態の細径部分４，４が塑性変形によって形成される。円筒状部材1aに挿入する心材６の直径は、加工後の細径部分４の内径であるｄと同一であって、主体部１と一体に形成される支持杆1aの直径とも等しいものとしておく。したがって、加工後に筒状部材から心材６を取り外し、支持杆1aに装着すると、把持柄２はガタツキなく滑らかに回転する。
【００１１】
図３に示す実施態様では、円筒状部材2’の両端にそれぞれローラ７，７を押圧するように図示しているが、図４に示すように複数の押圧部分が形成されているローラ７を押圧することによって一度に複数の細径部分４，４を形成するものであってもよい。また、把持柄２に形成する細径部分は、両端の二箇所以外の複数位置、例えば中間位置を含む三ヶ所以上に細径部分を設けることもできる。すなわち、図４に示すローラは、両端と中間位置の三箇所に絞り加工を行うためのローラ７を形成している。
その他、支持杆1aを支持するための絞り加工による細径部分は、例えば基端部の一箇所のみとし、先端に軸受けを装着するものであってもよい。この場合においても、軸受けの加工を必要とするのは先端の一箇所であって、一箇所の軸受け加工を省略することができる。さらに、絞り加工による細径部分を三箇所以上形成することもできる。なお、把持柄となる筒状部材は、塑性変形が可能な規格品のステンレスパイプを使用するのが好ましい。
【００１２】
【発明の効果】
請求項１記載の本発明ハッカーによれば、従来の軸受け機構、例えばベアリングやメタルを把持柄の内部に装着するといった煩雑な加工を省略し、かつ把持柄が滑らかに回転する使い勝手のよい、高品位のハッカーを安価に提供することができる。
【００１３】
請求項２記載の発明によれば、把持柄の両端部の二箇所又は三箇所以上で主体部の支持杆に支持させるため、より安定した回転状況を実現することができる。
【００１４】
請求項３記載の本発明ハッカーの製造法によれば、スリーブ状の把持柄に形成する絞り加工による細径部分がハッカーの支持杆1aにガタツキのない状態で回転自在に嵌合する把持柄を、筒状部材の内部に心材を挿入した状態で、ローラもしくは把持柄となる筒状部材を回転させる絞り加工によって容易に製造することができる。
【図面の簡単な説明】
【図１】把持柄を縦断したハッカー全体の側面図、
【図２】把持柄のみの縦断面図、
【図３】把持柄の加工工程を示す一部縦断の正面図、
【図４】把持柄加工のための変形例を示す正面図、
【図５】従来のハッカーにおける把持柄部分の縦断面図。
【符号の説明】
１…主体部、  1a…支持杆、  ２…把持柄、  2a…円筒状部材、  ３…フック、４…細径部分、５…抜け止め、  ６…心材、  ７…ローラ。
【図１】
0003766638.tif 000002
【図２】
0003766638.tif 000003
【図３】
0003766638.tif 000004
【図４】
0003766638.tif 000005
【図５】
0003766638.tif 000006